(57)【要約】【課題】反転印刷法に用いる除去版であって、異なる大きさの画素パターン部と周辺パターン部を有する除去版およびパターン形成方法を提供することを目的とする。【解決手段】着色インキからなる着色塗膜をブランケットローラー上に形成し、該着色塗膜から異なる大きさの２以上のパターンを、前記パターンと逆のパターンが形成された除去版を用いてブランケットローラー上に形成するパターン形成方法に用いる除去版であって、前記除去版は、画素パターン部と該画素パターン部の周辺に形成される開口部を介して周辺パターンが設けられており、前記開口部が、開口幅より開口深さを大きくすることで解決した。【選択図】図８
2006281486.tif 000002
【特許請求の範囲】
【請求項１】
着色インキからなる着色塗膜をブランケットローラー上に形成し、該着色塗膜から異なる大きさの２以上のパターンを、前記パターンと逆のパターンが形成された除去版を用いてブランケットローラー上に形成するパターン形成方法に用いる除去版であって、前記除去版は、画素パターン部と該画素パターン部の周辺に形成される開口部を介して周辺パターンが設けられており、前記開口部が、開口幅より開口深さを大きくしたことを特徴とする印刷除去版。
【請求項２】
前記画素パターン部が黒色パターン部で、周辺パターン部が遮光パターン部であることを特徴とする請求項１記載の印刷除去版。
【請求項３】
前記画素パターン部と周辺パターン部は、別部材から構成されていることを特徴とする請求項１または２記載の印刷除去版。
【請求項４】
前記除去版が、ガラスからなることを特徴とする請求項１ないし３のいずれかに記載の印刷除去版。
【請求項５】
請求項１ないし４のいずれかに記載の除去版を用いて、異なる大きさのパターンを形成することを特徴とするパターン形成方法。
【発明の詳細な説明】
【技術分野】
【０００１】
本発明は、着色インキからなる着色塗膜をブランケットローラー上に形成し、該着色塗膜から異なる大きさの２以上のパターンを同時に形成する際に用いる除去版およびこの除去版を用いたパターン形成方法に関する。
【背景技術】
【０００２】
カラーフィルター等の微細パターンを形成する方法として、例えば、特許文献１に記載されている反転印刷法は、円筒状ブランケット２の表面に均一な厚みの３着色インキ塗膜を形成する（図１参照）。
次に、図２に示す、所望の画素パターンおよびこの画素パターンと大きさの異なる周辺パターンと逆パターンの画素パターン部５ａと、該画素パターン部５ａに開口部６を介して周辺部パターン部５ｂを有する除去版４を用い、図３に示すように、不要な塗膜８を除去する。
上記工程で、図４に示すように、ブランケット２には、所望の画素パターン９と周辺パターン１０が形成される。そして、前記ブランケットを、基板１１に押圧移動することで、所望のパターンが形成される。
しかし、大きさの異なるパターンを上記印刷方法で形成すると、前記除去版４を構成する画素パターン部５ａと周辺パターン部５ｂの画素の大きさが異なるため、それぞれの画素を形成する開口部の大きさが異なる。ここで、除去版５に、画素パターン部５ａと周辺部パターン部５ｂを設けるには、除去版用材料（ガラス）をエッチング法により形成するのが一般的である。
このエッチング法により、画素パターン部５ａと同時に、大きい周辺パターン部５ｂを形成すると、幅と同等の深さの開口部６が形成されてしまい、図６に示すように、ブランケット上の塗膜が、前記開口部６の底部１３に接してしまい、図７に示すようにパターン抜け１４が生じ、所望のパターンが形成できないことが生じていた。
そこで、前記除去版を、画像パターン部と周辺パターン部を、２回に分け、それぞれ形成しなければならず、製造が複雑になり、製造に長時間要していた。
【特許文献１】特開平１１−０５８９２１号公報
【発明の開示】
【発明が解決しようとする課題】
【０００３】
本発明は、以上の事情に鑑みて考えられたものであり、反転印刷法に用いる版であって、異なる大きさの画素パターン部と周辺パターン部を有する除去版およびパターン形成方法を提供することを目的とする。
【課題を解決するための手段】
【０００４】
請求項１に記載の発明は、着色インキからなる着色塗膜をブランケットローラー上に形成し、該着色塗膜から異なる大きさの２以上のパターンを、前記パターンと逆のパターンが形成された除去版を用いてブランケットローラー上に形成するパターン形成方法に用いる除去版であって、前記除去版は、画素パターン部と該画素パターン部の周辺に形成される開口部を介して周辺パターンが設けられており、前記開口部が、開口幅より開口深さを大きくしたことを特徴とする印刷除去版である。
【０００５】
請求項２に記載の発明は、前記画素パターン部が黒色パターン部で、周辺パターン部が遮光パターン部であることを特徴とする請求項１記載の印刷除去版である。
【０００６】
請求こう３に記載の発明は、前記画素パターン部と周辺パターン部は、別部材から構成されていることを特徴とする請求項１または２記載の印刷除去版である。
【０００７】
請求項４の発明は、前記除去版が、ガラスからなることを特徴とする請求項１ないし３のいずれかに記載の印刷除去版である。
【０００８】
請求項５に記載の発明は、請求項１ないし４のいずれかに記載の除去版を用いて、異なる大きさのパターンを形成することを特徴とするパターン形成方法である。
【発明の効果】
【０００９】
本発明は、画素パターン部と周辺パターン部の間の開口部が、幅より深さを大きくしてので、大きいパターン部でも、ブランケット上の塗膜が、前記開口部の底部に接する事がなく、きれいなパターン形成を可能とした。
また、画素パターン部と周辺パターン部を、別部材で構成することで、２回のエッチング処理等複雑な処理が不要となり、簡単に異なる大きさのパターン部を有する除去版の製造を可能とした。
【発明を実施するための最良の形態】
【００１０】
着色インキからなる着色塗膜をブランケットローラー上に形成し、該着色塗膜から異なる大きさの２以上のパターンを、前記パターンと逆のパターンが形成された除去版を用いてブランケットローラー上に形成するパターン形成方法に用いる除去版である。
図８に示すように、この前記除去版４は、基材２０上に画素パターン部５ａと、該画素パターン部５ａの周辺に形成される開口部６を介して周辺パターン５ｂが別部材から構成されている。
このように除去版を基材２０上に画素パターン部５ａと周辺パターン部５ｂを別部材で形成することにより、開口部６の幅を適宜設定できるので、開口幅より開口深さを大きくすることが容易となった。
【００１１】
なお、カラーフィルターにおいて、異なる大きさのパターンとして、前記画素パターンを黒色パターン、周辺パターンを遮光パターンとすることが挙げられる。
そして、前記黒色パターンの間に、赤色パターン、緑色パターン、青色パターンを設けることで、カラーフィルターが完成する。
ここで、前記赤色パターン、緑色パターン、青色パターンを設ける手段は、前述の印刷法、前述以外の印刷法、インクジェット法、フォトリソ法など、適当な手段を選択し形成すればよい。
【００１２】
前記、除去版４の材料は、金属、ガラス、樹脂またはこれらの複合材から適宜選択できるが、ガラスのように膨張率の小さい材料を用いるのが好ましい。
【００１３】
前記除去版を用いて、ブランケットに形成されたインキ塗膜から前述の反転印刷法によりパターン形成を行った場合、不要部分を除去する除去工程で、前記開口部が、画素パターン部に比較して、１０倍以上広い幅で形成されていても、一定以上の深さが確保されるので、ブランケット表面の塗膜が、開口部の底部に接することがなく、所望のパターンを形成できる。
【産業上の利用可能性】
【００１４】
本発明のパターン形成方法は、カラーフィルタ、ＥＬ素子、回路パターン等微細パターンを印刷法で形成するのに用いることができる。
【図面の簡単な説明】
【００１５】
【図１】反転印刷法のパターン形成におけるブランケットの状態を示す説明図である。
【図２】反転印刷法のパターン形成における除去版の説明図である。
【図３】反転印刷法のパターン形成における除去版で塗膜の不要部分を除去した状態を示す説明図である。
【図４】反転印刷法のパターン形成におけるブランケット上にパターンが形成された状態を示す説明図である。
【図５】反転印刷法のパターン形成により基板にパターンを形成した状態を示す説明図である。
【図６】反転印刷法のパターン形成における不具合の例を示す説明図である。
【図７】図６の不具合により生じたパターンの例を示す説明図である。
【図８】本発明の除去版の例を示す説明図である。
【符号の説明】
【００１６】
２…ブランケット
３…塗膜
４…除去版
５ａ…画素パターン部
５ｂ…周辺パターン部
６…開口部
９…画素パターン
１０…周辺パターン
１１…基板
１３…底部
２０…基材
【図１】
2006281486.tif 000003
【図２】
2006281486.tif 000004
【図３】
2006281486.tif 000005
【図４】
2006281486.tif 000006
【図５】
2006281486.tif 000007
【図６】
2006281486.tif 000008
【図７】
2006281486.tif 000009
【図８】
2006281486.tif 000010